(57)【要約】【課題】脱ぎ着が容易で、着用時の美観にも優れた腕カバーを提供する。【解決手段】腕カバー１は、腕上口４を介して腕Ａを袖本体２内に通し、手首を袖口３から出すとともに、腕上口４を含む上部を袖付きシャツ１０の袖の中へ入れ込んで着用される。すなわち、腕上口４は、袖付きシャツ１０の袖によって隠れた状態となる。したがって、袖本体２の素材や色等を袖付きシャツ１０の色やデザインに合わせることにより、腕カバー１と袖付きシャツ１０との一体感を高めることができ、美観の向上を図ることができる。【選択図】図２
0003153604.tif 000002
【実用新案登録請求の範囲】
【請求項１】
筒状の袖本体と、前記袖本体の一端に一体的に設けられる袖口と、前記袖本体の他端に一体的に設けられ、フライス編みされた腕上口とからなる腕カバーであって、
前記腕上口を介して前記袖本体へ腕を通し、前記袖口から手首を出すとともに、少なくとも腕上口を含む上部を袖付きシャツの袖の下へ入れ込んだ状態で着用することを特徴とする腕カバー。
【請求項２】
前記袖口がフライス編みされてなり、着用状態において、前記袖口と前記腕上口とにより手首及び上膊部を弾性的に締め付けることを特徴とする請求項１に記載の腕カバー。
【考案の詳細な説明】
【技術分野】
【０００１】
本考案は、手首から上膊部にかけて覆う腕カバーに関するものである。
【背景技術】
【０００２】
従来、暑さ／寒さ対策として、袖の長さが異なる２種類の袖付きシャツ（たとえば長袖のＴシャツと半袖のＴシャツ）を上下に重ね着し、上着を脱ぎ着するといった方法が良くとられている。
一方、作業時に着用することで、衣類の袖を汚れ等から守るためのものとしては、たとえば特許文献１や特許文献２に開示されているような腕カバーが考案されている。
【先行技術文献】
【特許文献】
【０００３】
【特許文献１】特開平８−８１８０８号公報
【特許文献２】特開平９−２９１４０５号公報
【考案の概要】
【考案が解決しようとする課題】
【０００４】
しかしながら、従来の如く、袖付きシャツを上下に重ね着し、上着を脱ぎ着する方法は、一々煩わしいし、外出先等で上着を脱いだ場合、上着が邪魔になったり、上着を置き忘れるおそれがある等、問題がある。
一方、特許文献１及び２に開示されている腕カバーは、あくまで作業用のもの（すなわち、衣類の汚れ防止を目的としたもの）であり、袖部をカバー内側に収容した状態で着用するため、ファッションとしてみると、美観的に改善が望まれる。
【０００５】
そこで、本考案は、上記問題に鑑みなされたものであって、脱ぎ着が容易で、着用時の美観にも優れた腕カバーを提供しようとするものである。
【課題を解決するための手段】
【０００６】
上記目的を達成するために、本考案のうち請求項１に記載の考案は、筒状の袖本体と、前記袖本体の一端に一体的に設けられる袖口と、前記袖本体の他端に一体的に設けられ、フライス編みされた腕上口とからなる腕カバーであって、前記腕上口を介して前記袖本体へ腕を通し、前記袖口から手首を出すとともに、少なくとも腕上口を含む上部を袖付きシャツの袖の下へ入れ込んだ状態で着用することを特徴とする。
また、請求項２に記載の考案は、請求項１に記載の考案において、前記袖口がフライス編みされてなり、着用状態において、前記袖口と前記腕上口とにより手首及び上膊部を弾性的に締め付けることを特徴とする。
【考案の効果】
【０００７】
本考案によれば、腕上口を介して袖本体へ腕を通し、袖口から手首を出すとともに、少なくとも腕上口を含む上部を袖付きシャツの袖の下へ入れ込んだ状態で着用するようになっている。したがって、腕上口は、袖付きシャツの袖によって隠れた状態となるため、袖本体の素材や色等を袖付きシャツに合わせることにより、腕カバーと袖付きシャツとの一体感を高めることができ、美観の向上を図ることができる。
また、腕カバーのみ脱ぎ着すればよいため、袖付きシャツの脱ぎ着等と比較して非常に容易であるし、袖付きシャツ等と比べると小型であるためカバンやバック等の中に収納しやすく、脱いだ後に邪魔になりにくい等、使い勝手も良い。
加えて、腕上口が直接肌を締め付けるため、袖の上から着用するような従来のものと比較して、着用後、不用意に脱げたりしにくい。
また、請求項２に記載の考案によれば、袖口もフライス編みされてなることから、より確実に着用状態を保持することができる。
【図面の簡単な説明】
【０００８】
【図１】腕カバーを示した説明図である。
【図２】腕カバーの着用状態を示した説明図である。
【考案を実施するための形態】
【０００９】
以下、本考案の一実施形態について、図面をもとに詳細に説明する。
【００１０】
腕カバー１は、腕を通すことにより着用可能な筒状のカバー体であって、袖本体２と、袖本体２の先端際に形成された袖口３と、袖本体３の後端際に形成された腕上口４とからなる。袖本体２は、常用の衣料用繊維（たとえば、綿、毛等といった天然繊維やポリエステル等といった合成繊維、それらの混合繊維等）を素材としてなるもので、２０ｃｍ〜３０ｃｍ程度の長さを有する。また、袖口３は、袖本体２から先細り状に形成されてなるもので、フライス編みされて伸縮性を有しており、着用した際、手首を弾性的に締め付けて着用状態を保持するようになっている。さらに、腕上口４も、袖口３同様、先細り状に形成されているとともにフライス編みされて伸縮性を有しており、上膊部を弾性的に締め付けるようになっている。なお、袖口３の長さは６ｃｍ程度、腕上口４の長さは３ｃｍ程度となっている。
【００１１】
以上のような腕カバー１は、図２に示すように、腕上口４を介して腕Ａを袖本体２内に通し、手首を袖口３から出すとともに、腕上口４を含む上部を袖付きシャツ１０の袖の中へ入れ込んで着用される。すなわち、腕上口４は、袖付きシャツ１０の袖によって隠れた状態となる。したがって、袖本体２の素材や色等を袖付きシャツ１０の色やデザインに合わせることにより、腕カバー１と袖付きシャツ１０との一体感を高めることができ、美観の向上を図ることができる。
また、腕カバー１のみ脱ぎ着すればよいため、袖付きシャツ１０の脱ぎ着等と比較して非常に容易である。さらに、腕カバー１は袖付きシャツ１０等と比べると小型であるため、カバンやバック等の中に収納しやすく、脱いだ後に邪魔になりにくい等、使い勝手も良い。
さらに、袖口３及び腕上口４が直接肌を締め付けるため、袖の上から着用するような従来のものと比較して、着用後、不用意に脱げたりしにくい。
【００１２】
なお、本考案に係る腕カバーの構成は、上記実施形態の態様に何ら限定されるものではなく、袖本体や袖口、腕上口に係る構成を、本考案の趣旨を逸脱しない範囲で必要に応じて適宜変更することができる。
【００１３】
たとえば上記実施形態では袖口をフライス編みとしているが、袖口については必ずしもフライス編みとする必要はなく、腕上口さえフライス編みとしていれば、着用状態を好適に保持することができる。したがって、袖口については、先細り状とせず、袖本体同様のデザインとしても何ら問題はない。
また、袖本体や袖口等のサイズについても上記形態に限定されることはなく、小さな子供サイズから大人サイズまで種々のサイズとすることができる。
さらに、色や素材についても袖付きシャツの色やデザインに合わせて種々のものを採用してよいことは言うまでもない。
【符号の説明】
【００１４】
１・・腕カバー、２・・袖本体、３・・袖口、４・・腕上口、１０・・袖付きシャツ。
【図１】
0003153604.tif 000003
【図２】
0003153604.tif 000004